(57)【特許請求の範囲】
【請求項１】
創作物についての恒久的な所有データ記録を提供するサーバであって、
前記サーバは、
視覚的な芸術作品である前記創作物を創作した著作者が使用し、ネットワークを介してサーバと通信可能に接続されているユーザ機器から、前記創作物についての変更可能な所有データ記録を発行することを要求する発行要求を受け取り、
前記発行要求を行なった前記著作者の識別情報を認証して、前記発行要求を行った著作者が、前記発行要求において特定されている前記所有データ記録のタイプについて前記発行要求を行う資格を有するか否かを確認し、
前記発行要求を行なった前記著作者が提供するデータを含む、変更可能な所有データ記録を発行し、
前記サーバに接続されているデータベースに、前記発行された変更可能な所有データ記録を前記創作物に関連付けて記憶し、
前記著作者が使用する前記ユーザ機器から、前記発行された変更可能な所有データ記録を変更不能にすることを要求する固定要求を受け取り、
前記発行された変更可能な所有データ記録を変更不能にして恒久的な所有データ記録を生成し、前記記憶された変更可能な所有データ記録を前記生成した恒久的な所有データ記録に更新し、かつ、前記更新以前の時点においては、前記記憶された変更可能な所有データ記録に対するデータの追加を許容し、
前記恒久的な所有データ記録の前記タイプを示すタグであって、前記著作物に付されるタグを作成し、
前記所有データ記録の前記タイプは、
芸術作品の所有権の記録を有するタイプを含み、
前記所有データ記録の前記タイプは、
前記創作物に対する権利を有するユーザ及び一般ユーザのうちの１つに関連付けられていること、
を特徴とするサーバ。
【請求項２】
前記サーバは、
前記ネットワークを介して前記ユーザ機器から、前記恒久的な所有データ記録にアクセスするために、又は、認証されるべき前記恒久的なデータ記録を制限するために使用可能な識別番号であって、前記ユーザ機器のユーザを一意に識別する識別番号を受け取ること、
を特徴とする請求項１に記載のサーバ。
【請求項３】
前記著作者が提供するデータは、
記述、画像、タイトル、著作者名、日付、ログ情報及び一般的に前記創作物を記述する任意のタイプのデータのうちの１又は複数に関すること、
を特徴とする請求項１に記載のサーバ。
【請求項４】
前記サーバは、
前記ネットワークを介して前記ユーザ機器に対して、電子的フォーマットで前記所有データ記録を発行すること、
を特徴とする請求項１に記載のサーバ。
【発明の詳細な説明】
【技術分野】
【０００１】
本発明は、創作物についての記録を提供する方法及び装置に関し、より具体的には、１又は複数の著作者によって定義された、創作物を記述する情報を含む恒久的な記録を提供することに関する。
【背景技術】
【０００２】
芸術作品数が増加し、これらの作品の概念分類が進化するにつれて、このような作品の目録の創作が益々活発になってきている。従来の方法及び装置は、芸術作品にラベリングし、その目録を作成する。ある従来の方法は、印刷広告又は類型別全作品目録のような、芸術作品の目録を手作りで作成すること含む。例えば、芸術家自身以外の者は、このような目録に掲載する芸術作品を記述する情報を自分で提供しなければならない。このように、従来の方法は、誤った又は不完全な情報の影響を受けやすく、及び／又は、このような芸術作品に対して誤った説明がなされていることもある。さらに、特定の芸術作品に関連付けられた情報が、このような作品についての芸術家の見識と整合していないこともある。手作りの目録作成では、芸術作品についての情報を提供する能力に限界がある。出品作品の著作者に関する情報を決定する能力には限界がある。それぞれの芸術家から手動で情報を収集して芸術作品を記述しようとしても、それらの情報は、実際には役立たなかったり、首尾一貫していなかったりすることもある。
【発明の概要】
【発明が解決しようとする課題】
【０００３】
従来の他の方法は、実際の芸術作品に識別子を付すこと含む。しかしながら、この方法では、それぞれの芸術作品に対して付される又は関連付けられるデータ量に限界がある。さらに、このような方法は、このようなデータにアクセスする、もしくは共通の又は構造化されたフォーマットでデータ提供するための、基準又は機密処理を提供しない。さらに、特定の芸術作品に関連付けられたデータは今まで保存されてきており、かつ将来も保存されることを、これらの従来の方法は前提としている。しかしながら、このような前提はもはや通用しないかもしれない。これらの従来の方法によって提供されたデータは、誤字、脱字、損傷、改変及び不正表示を有するおそれがある。
【０００４】
芸術作品の目録を提供するこのような従来の方法は、安全で恒久的で信頼できる、作品の記録を提供するという要求に応えるように大いに努力している。さらに、現在の収集方法に一貫性がない状態では、収集した情報は、信頼できないものとなるおそれがある。
【課題を解決するための手段】
【０００５】
（発明の要約）
創作物の恒久的なデータ記録を提供するシステム及び方法がここに開示され、請求項に記載される。ある実施形態においては、創作物に対して発行されるべき恒久的なデータ記録に対する要求を受け取ることを含む方法が提供される。当該要求は、発行されるべきデータ記録のタイプを示し得る。当該方法は、創作物に対応するデータを受け取ることも含む。受け取られたデータが変更不能となるように、恒久的なデータ記録が、受け取られたデータを使用して生成され得る。当該方法は、さらに、恒久的なデータ記録を創作物に関連付けることも含み得る。
【０００６】
後記する本発明の詳細な説明を参照する当業者には、本発明の他の実施形態、特徴及び技術が明らかになるであろう。
【図面の簡単な説明】
【０００７】
【図１Ａ】本発明の１又は複数の実施形態に係るデータ記録の構造を示す図である。
【図１Ｂ】本発明の１又は複数の実施形態に係るデータ記録の構造を示す図である。
【図１Ｃ】本発明の１又は複数の実施形態に係るデータ記録の構造を示す図である。
【図２Ａ】本発明の１又は複数の実施形態に係る芸術作品のデータ記録の適用例を示す図である。
【図２Ｂ】本発明の１又は複数の実施形態に係る芸術作品のデータ記録の適用例を示す図である。
【図２Ｃ】本発明の１又は複数の実施形態に係る芸術作品のデータ記録の適用例を示す図である。
【図３】本発明の１又は複数の実施形態に係るシステムを示す図である。
【図４Ａ】本発明の１又は複数の実施形態に係る処理を示す図である。
【図４Ｂ】本発明の１又は複数の実施形態に係る処理を示す図である。
【図５】本発明の１又は複数の実施形態に係る、記録を生成する処理を示す図である。
【発明を実施するための形態】
【０００８】
（実施形態の詳細な説明）
本発明の一形態は、創作物向けのデータ記録を提供する。ある実施形態においては、恒久的な記録が、創作物を創作した著作者によって発行され得る。ここで創作物とは、一般に、歌詞、音楽、語句、脚本、映画、印刷物、彫刻、絵画、２次元オブジェクト、一般的な３次元オブジェクト芸術作品、構造物、一時的創作及び芸術的創作のような美術のうちの少なくとも１つを意味する。創作物は、デジタル画像、デジタル動画、ウエブページ、２次元表現、３次元表現及び一般的な相互作用媒体のような媒体オブジェクトに関することもある。ここで著作者は、芸術家、画家、彫刻家、デザイナー、作曲家、作家及び創造物を創作した一般的な著作者のうちの少なくとも１つに関することもある。他の実施形態においては、恒久的な記録は、創作物に関連付けられた情報を含んでもよい。当該情報は、データ記録として電子的に記憶されてもよい。さらに、データ記録は、創作物に関連付けられた情報を受け取るべく指定された１又は複数のユーザによって読取可能としてもよい。
【０００９】
本発明の他の実施形態は、複数の創作物についての恒久的な記録を発行し、維持するシステムを提供する。当該システムは、著作者に対してデータ記録を発行するサーバを含んでもよい。当該サーバは、創作物に関するデータ記録とともに格納されているデータを検索してもよい。他の実施形態においては、当該システムは、データ記録を格納するデータベースを含んでもよい。当該サーバは、ユーザ端末とデータを送受信するために使用されてもよい。当該システムは、データ通信ネットワークと協働して、ユーザ端末を使用する著作者に対してデータ記録を発行してもよい。
【００１０】
他の実施形態においては、創作物についてのデータ記録を供給するコンピュータプログラム製品が提供される。当該コンピュータプログラム製品は、創作物についてのデータ記録を発行する、コンピュータ読取可能なプログラムコードを含んでもよい。他の実施形態においては、当該コンピュータプログラム製品は、編集不可能なコンピュータ読取可能なファイルとしてデータを格納するコンピュータ読取可能なプログラムコードを含んでもよい。
【００１１】
本発明の他の特徴は、創作物についての公開コンテンツ参照データベースを提供することにある。ある実施形態においては、複数のデータ記録のタイプが創作物ごとに発行され得る。例えば、データ記録は、著作者、著作者によって定義されたユーザ及び一般ユーザのうちの１又は複数についてのデータ記録に関するものであってもよい。アクセス可能であって、創作物についての参照情報を提供するために使用可能な、創作物についての情報を、公開コンテンツ参照データベースを使用してユーザは提供しうる。
【００１２】
ソフトウエアとして実装されるとき、本発明の構成要素は、原則、必要なタスクを実行するためのコードセグメントである。プログラムすなわちコードセグメントは、プロセッサ読取可能な媒体に格納され得る。“プロセッサ読取可能な媒体”は、情報を格納し送信し得る任意の媒体を含み得る。プロセッサ読取可能な媒体の例としては、電子回路、半導体メモリデバイス、ＲＯＭ、フラッシュメモリ又は他の不揮発性メモリ、フロッピイディスク（登録商標）、ＣＤ−ＲＯＭ、光学ディスク、ハードディスク等がある。コードセグメントは、インターネット、イントラネット、ワイドエリアネットワーク（ＷＡＮｓ）、ローカルエリアネットワーク（ＬＡＮｓ）、汎用パケット無線サービス（ＧＰＲＳ）、第三世代（３Ｇ）携帯通信、ＷｉＦｉ等のようなコンピュータネットワークを介してダウンロードされてもよい。
【００１３】
図１Ａ〜１Ｃは、１又は複数の実施形態に係る、創作物に関連付けられ得るデータ記録の構造を示している。より詳細に後記されるように、データ記録は、ある具体的な主体ごとに特定される。例えば、データ記録は、著作者、著作者によって定義されたユーザ及び一般的なユーザのうちの１又は複数ごとに作成される。ある実施形態においては、１つの創作物に対して１つのデータ記録のみが作成され得る。他の実施形態においては、写真プリントのような元の作品の複製についてのデータ記録は、当該創作物が元の作品ではない旨の表示、当該創作物が唯一の作品ではない旨の表示、鋳造回数、生前鋳造、死後鋳造等の表示を含んでもよい。
【００１４】
まず図１Ａを参照すると、本発明のある実施形態に係る、恒久的なデータ記録である青タグ１０５が示されている。青タグ１０５は、特定の創作物を創作した著作者に対してのみ発行され得るデータ記録に関する。本発明のある実施形態においては、著作者は、青タグ１０５を使用して、創作物を標準化して記述する。図１Ａに示されるように、青タグ１０５は複数のフィールド１１０１−ｎを有し、各フィールドは、著作者によって定義された特定のデータのタイプを格納するために使用され得る。著作者フィールド１１０１は、著作者の名前又は著作者を示す識別情報を格納するために使用される。記述フィールド１１０２は、著作者による創作物についての記述を格納するために使用される。記述フィールド１１０２に格納されているデータは、文字データ、画像データ、音声データ及び／又は動画データであってもよい。他の実施形態においては、創作物が表示されたとき、広告に印刷されたとき、競売されるとき、及び／又は電子媒体として出力されたとき、著作者によって記述フィールド１１０２に提供されたデータが、創作物を記述するために使用され得る。例えば、記述フィールド１１０２は、創作物が、キャンバスに描いた油絵、ブロンズ彫刻等に関することを記載してもよい。記述フィールド１１０２は、著作者が創作物に対して付した正確なタイトル、及び／又は、創作物が完成した日付を含んでもよい。
【００１５】
引続き図１Ａを参照すると、青タグ１０５は、ログフィールド１１０ｎを含んでもよい。当該ログフィールドは、青タグが作成された時刻及び／又は日付に関するデータを記憶するために使用されてもよい。さらに、ログフィールド１１０ｎは、著作者によって加えられたデータを提供してもよい。ある実施形態においては、当該タグ内に格納されたデータを変更不能とするために、青タグ１０５は、著作者によって恒久的なデータ記録として固定されてもよい。このようにして、ログフィールド１１０ｎは、青タグ１０５が固定された時点における、著作者によって提供された修正済の記述データ及び／又は新たな記述データを格納するために使用されてもよい。青タグ１０５のフィールド１１０１−ｎの数は固定されているように記載されているが、追加的なフィールドがタグ１０５に含まれてもよいことはもちろんである。同様に、他の実施形態においては、青タグ１０５の有するフィールドは、１つだけであってもよい。
【００１６】
他の実施形態においては、青タグ１０５は、著作者の経歴情報を提供するために使用されてもよい。例えば、経歴情報は、青タグ１０５の１又は複数のフィールド１１０１−ｎに格納されてもよい。少なくとも１つの創作物に関連付けられた少なくとも１つの青タグ１０５を使用して、著作者は自叙伝を提供することもできる。
【００１７】
図１Ｂを参照すると、創作物に対する諸権利を有する主体に対して発行されるデータ記録である紫タグ１１５が示されている。例えば、紫タグ１１５は、著作者によって定義されているユーザに対して発行されてもよい。他の実施形態においては、紫タグ１１５は、著作権者に対して発行されてもよい。他の実施形態においては、紫タグ１１５は、著作者の死後も使用され得る。このようにして、創作物に関連付けられた死後情報は、データ記録として提供され得る。図１Ｂに示されるように、紫タグ１１５は、著作者フィールド１２０１を含む。当該著作者フィールドは、紫タグが発行された主体を識別するために使用されてもよい。著作者フィールド１２０１に定義されるべき主体は、著作者自身、著作者の相続人又は著作者の作品の管理団体、例えば美術館、によって作成されてもよい。紫タグ１１５は、記述フィールド１２０２を含んでもよい。当該記述フィールドは、著作者フィールド１２０１において識別される主体によって入力される情報を提供する。日付フィールド１２０ｎは、紫タグ１１５が作成された日付及び紫タグ１１５に情報が加えられた日付に関する情報を格納するために使用されてもよい。紫タグ１１５は、図１Ｂに示された以外のデータフィールドを含んでもよい。
【００１８】
図１Ｃを参照すると、創作物についての参照用のデータ記録である白タグ１２５が示されている。ある実施形態においては、白タグ１２５は、オープンソース記録に関するものであってもよい。代替的に、白タグ１２５は、登録を要する有料の参照文献に関するものであってもよい。他の実施形態においては、一般ユーザが特定の創作物についての記述情報を入力するために、白タグ１２５が使用されてもよい。例えば、ある実施形態においては、白タグ１２５は、ユーザが特定の創作物ごとに記述を提供し得るオンライン美術百科事典用に生成されてもよい。このようにして、白タグ１２５によって提供されたデータは、創作物に関する情報を公開するためにアクセスされる。図１Ｃに示されるように、白タグ１２５は、著作者フィールド１３０１を含む。当該著作者フィールドは、創作物に関するデータの入力に責任を負う特定のユーザの識別情報を格納するために使用されてもよい。著作者フィールド１３０１は、ユーザの識別子を複数格納してもよい。
【００１９】
他の実施形態においては、白タグ１２５は、創作物に関連付けられた専門家によって使用され得るデータ記録に関するものであってもよい。この実施形態においては、著作者フィールド１３０１は、白タグ１２５に関連付けられた少なくとも１人の専門家を識別するために使用される。このようにして、白タグ１２５は、創作物についての専門家作成参照文献として使用されてもよい。
【００２０】
引続き図１Ｃを参照すると、記述フィールド１３０２は、文字データ、画像、音声データ及び／又は動画データを含む、創作物を記述するデータを格納するために使用されてもよい。白タグ１２５は、所有者フィールド１３０３を含んでもよい。当該所有者フィールドは、所有者名、住所、電話番号等を含む、創作物に関連付けられた現在の所有者情報を示す。所有者フィールド１３０３は、創作物が売りに出されるときに役立つ、及び／又は、創作物が本物であることを認証するために役立つ。他の実施形態においては、白タグ１２５は、日付フィールド１３０ｎを含んでもよい。当該日付フィールドは、白タグ１２５の入力に関する日付情報を格納するために使用される。このようにして、オープンソースデータ記録に対する入力ごとに、ログが提供される。
【００２１】
図１Ａ〜図１Ｃにおいて前記したように、データ記録は、創作物に関連付けられてもよい。本発明の他の実施形態において、前記のデータ記録の組合せに関するデータ記録が提供されてもよい。例えば、ある実施形態においては、青タグ１０５及び白タグ１２５を含むデータ記録が提供されてもよい。このような組合せタグは、青タグ１０５及び白タグ１２５の両者に関連付けられたフィールドを含んでもよい。組み合わせタグは、前記以外のデータ記録の組合せに関するものであってもよいことはもちろんである。
【００２２】
図２Ａ〜図２Ｃを参照すると、本発明の１又は複数の実施形態に係るデータ記録の適用例が示されている。まず、図２Ａを参照すると、創作物２０５は、ディスプレイ上に絵画として示されている。創作物２０５に関する情報は、情報プレート２１０上に印刷されてもよい。このようにして、創作物２０５を観賞する者は、同時に創作物についての情報も視認し得る。ある実施形態においては、創作物２０５に関連付けられたデータ記録は、タグ２１５によって示され得る。タグ２１５は、青タグ（例えば、青タグ１０５）、紫タグ（例えば、紫タグ１１５）及び白タグ（例えば、白タグ１２５）のうちの１つに関するものであってもよい。例えば、データ記録に関連付けられた識別番号がタグ２１５上に印刷されてもよい。同様に、タグ２１５は、データ記録への参照情報を提供するバーコードのような光学ターゲットを含んでもよいことはもちろんである。このようにして、図３を参照してさらに詳しく後記するように、創作物２０５を観賞する者は、創作物に関連付けられた情報を同時に検索し得る。
【００２３】
創作物２０５についての情報を提供するデータ通信ネットワークアドレスへの参照情報を、タグ２１５が提供してもよいことはもちろんである。他の実施形態においては、タグ２１５は、データ要素内に文字データ及び／又は画像として格納された情報を提供してもよい。さらに、タグ２１５は、創作物２０５又は情報プレート２１０のいずれかに添付されてもよいし埋め込まれてもよい。
【００２４】
図２Ｂを参照すると、本発明のある実施形態に係る、創作物２２５の表示を含む印刷広告２２０が示されている。印刷広告２２０は、書籍、雑誌、新聞、及び、一般的な任意の印刷広告のうちの１つであってもよい。印刷広告２２０は、創作物２２５に関する情報を提供するタグ２３０を含んでもよい。タグ２３０は、図２Ａのタグ２１５の他の実施形態に関する。このようにして、タグ２３０は、創作物２２５に関連付けられたデータ記録に関する情報を提供してもよい。タグ２３０は、青タグ（例えば、青タグ１０５）、紫タグ（例えば、紫タグ１１５）及び白タグ（例えば、白タグ１２５）のうちの１つに関するものであってもよい。
【００２５】
図２Ｃを参照すると、本発明のある実施形態に係る、データ通信ネットワークによってアクセス可能なウエブページ２３５が示されている。図２Ｃに示されるように、ウエブページ２３５は、創作物２４０、ページデータ２４５及びタグ２５０を示している。ページデータ２４５は、ウエブサイトの著作者によって提供された文字データ及び／又は画像であってもよいし、創作物２４０に関するものであってもなくてもよい。タグ２５０は、図２Ａのタグ２１５の他の実施形態に関する。さらに、タグ２５０は、創作物２４０に関連付けられたデータ記録にアクセスするためのリンクに関するものでもよい。他の実施形態においては、タグ２５０は、創作物２４０の表示がデータ記録に関連付けられていることを示すために使用されてもよい。タグ２５０は、青タグ（例えば、青タグ１０５）、紫タグ（例えば、紫タグ１１５）及び白タグ（例えば、白タグ１２５）のうちの１つに関するものであってもよい。
【００２６】
他の実施形態においては、タグ２５０が白タグ（例えば、白タグ１２５）に関しているときに、ウエブページ２３５は、オープンソース参照ウエブサイトに関していてもよい。このようにして、ページデータ２４５は、１又は複数のユーザによって提供された、創作物２４０を記述するデータを表示してもよい。ページデータ２４５は、１又は複数のユーザによって編集可能であってもよい。同様に、白タグとして設定されたタグ２５０に関連付けられた情報は、これらユーザによって編集可能であってもよい。このようにして、ウエブページ２３５は、創作物２４０についての情報を提供する参照ソースとしてアクセス可能である。
【００２７】
タグ２５０は創作物２４０の表示に関するものとして記述してきたが、タグ２５０は、追加的な媒体のタイプに関連付けられたデータ記録を識別するために使用してもよいことはもちろんである。例えば、タグ２５０は、デジタル画像、音声データ、２次元表示、３次元表示及び一般に創作物に関連付けられている媒体データのうちの１つについてのデータ記録に関連付けられてもよい。このようにして、タグ２５０に関連付けられたデータ記録は、データ記録によって提供されるデータを検索するために、ウエブページ２３５からアクセスすることが可能であってもよい。
【００２８】
図３を参照すると、本発明の１又は複数の実施形態に係る、単純化されたシステム構成図が示されている。図３に示されるように、ユーザ機器３０５及びサーバ３１５は、データ通信ネットワーク３１０を介して接続されている。さらに、サーバ３１５は、データベース３２０に接続されている。ある実施形態においては、ユーザ機器３０５は、パーソナルコンピュータ、携帯通信機器及び一般的な通信機器のうちの１又は複数に関する。図４Ａ及び図４Ｂを参照してさらに詳しく後記するように、ユーザ機器３０５は、データ通信ネットワーク３１０を介して、創作物についてのデータ記録を要求してもよい。データ通信ネットワーク３１０は、ローカルエリアネットワーク（ＬＡＮｓ）、ワイドエリアネットワーク（ＷＡＮｓ）、パケット交換ネットワーク、携帯通信ネットワーク、インターネット及び一般的な任意のデータ通信ネットワークのうちの１つに関するものであり得る。このようにして、ユーザ機器３０５は、データ通信ネットワーク３１０を介してサーバ３１５と通信し得る。
【００２９】
サーバ３１５は、創作物に関連するデータ記録に対する要求を受け取り、創作物についてのデータ記録を発行する。サーバ３１５によるデータ記録の発行は、図４Ａ及び図４Ｂを参照して、より詳しく後記される。データ記録及び関連付けられているデータは、データベース３２０を使用することによって、格納されアクセス可能になる。他の実施形態においては、青タグ（例えば、青タグ１０５）、紫タグ（例えば、紫タグ１１５）及び白タグ（例えば、白タグ１２５）のうちの１つに関するタグデータは、データベース３２０に格納されていてもよい。さらに他の実施形態においては、サーバ３１５は、ユーザ識別情報及びデータ記録のタイプに少なくとも部分的に基づき、データ記録へのアクセスを制限してもよい。データベース３２０に格納されたデータ記録は、サーバ３１５によるユーザログイン及びパスワードの認証を要求してもよい。さらに、認証されるべき識別情報を、特定のデータ記録に制限してもよい。例えば、固定されていない青タグ（例えば、青タグ１０５）へのアクセスは、創作物を創作した著作者に制限されてもよい。他の実施形態においては、白タグ（例えば、白タグ１２５）については、白タグが付されているデータを修正しようとするアクセスは、ユーザ認証を要求しなくてもよい。代替的に、白タグが付されているデータを修正しようとするアクセスは、料金及び登録手続のうちの少なくとも１つを要求してもよい。他の実施形態においては、新たな白タグを作成するために、ユーザ認証が要求されてもよい。
【００３０】
図４Ａ及び図４Ｂを参照すると、本発明の１又は複数の実施形態に係る処理手順が示されている。まず、図４Ａを参照すると、特定の創作物についてのデータ記録を要求する処理手順４００が示されている。ブロック４０５において、例えばユーザ機器（例えば、ユーザ機器３０５）が特定の創作物についてのデータ記録を要求することによって、処理手順４００は開始される。当該要求は、発行されるべきデータ記録のタイプを示している。例えば、当該要求は、青タグ（例えば、青タグ１０５）、紫タグ（例えば、紫タグ１１５）及び白タグ（例えば、白タグ１２５）のうちの１つを示し得る。ブロック４１０において、創作物に対応するデータは、サーバ（例えば、サーバ３１５）に送信されて、データ記録に関連付けられる。処理手順４００は、ブロック４１５において、サーバによって発行されたデータ記録を受け取る処理を含んでもよい。データ記録は、ユーザ機器に対して電子的に発行されてもよい。他の実施形態では、ブロック４２０において、ユーザ機器は、データ記録を固定する要求を送信する。このようにして、サーバは、変更不能のデータ記録を生成し得る。他の実施形態においては、創作物の創作者として認証された著作者のみがタグを固定することを許可され得る。
【００３１】
図４Ｂを参照すると、本発明の１又は複数の実施形態に係る、データ記録を生成する処理手順４３０が示されている。ブロック４３５において、サーバ（例えば、サーバ３１５）が特定の創作物に関連するデータ記録を発行する要求を受け取ることによって、処理手順４３０は開始される。当該要求は、発行されるべきデータ記録のタイプを示している。例えば、当該要求は、青タグ（例えば、青タグ１０５）、紫タグ（例えば、紫タグ１１５）及び白タグ（例えば、白タグ１２５）のうちの１つを示し得る。ブロック４４０において、サーバは、データ記録に関連付けられるべきデータを受け取り、受け取られたデータを使用してデータ記録を生成する。データ記録は、青タグ（例えば、青タグ１０５）、紫タグ（例えば、紫タグ１１５）及び白タグ（例えば、白タグ１２５）のうちの１つに関するものであり得る。ブロック４５０において、データ記録は、創作物に関連付けられる。例えば、創作物は、データ記録に対応するタグを付されてもよい。データ記録及び受け取られたデータは、データベース（例えば、データベース３２０）に格納されてもよい。
【００３２】
図５は、本発明の１又は複数の実施形態に係る、データ記録を生成する処理手順５００を示している。ブロック５０５において、データ記録を発行する要求が受け取られると、処理手順５００は開始される。当該要求は、ブロック５１０においてユーザを識別するサーバ（例えば、サーバ３１５）によって受け取られ得る。ブロック５１０におけるユーザの識別は、ユーザログイン及びパスワードに基づいていてもよい。ブロック５１５、５３５及び５５５において、処理手順５００は、当該要求が、それぞれ、青タグ（例えば、青タグ１０５）についての要求であるか否か、紫タグ（例えば、紫タグ１１５）についての要求であるか否か又は白タグ（例えば、白タグ１２５）についての要求であるか否かを決定する。青タグ要求が受け入れられた場合（ブロック５１５の“Ｙｅｓ”のパス）、サーバは、識別されたユーザから、データ記録に関連付けられるべきデータを受け取ることができる。ある実施形態においては、データ記録に関連付けられた著作者から受け取られたデータは、青タグが著作者によって固定されるまで、データ記録に加えられ得る。青タグが固定されている場合（ブロック５２０の“Ｙｅｓ”のパス）、ブロック５２５において、受け取られたデータは、青タグに関連付けられたログファイルに加えられる。青タグが固定されていない場合（ブロック５２０の“Ｎｏ”のパス）、ブロック５３０において、受け取られたデータは、データ記録に加えられる。
【００３３】
紫タグ要求が受け入れられた場合（ブロック５３５の“Ｙｅｓ”のパス）、ブロック５４０において、サーバは、紫タグ要求が承認されているか否かを決定する。紫タグ要求の承認は、ユーザ識別情報及び／又は紫タグが既に存在するか否かに基づいてもよい。紫タグが承認されており、かつ、紫タグが未だ作成されていない場合（ブロック５４０の“Ｎｏ”のパス）、ブロック５４５において、紫タグが作成される。創作物についての紫タグが存在する場合（ブロック５４０の“Ｙｅｓ”のパス）、ブロック５５０において、紫タグに関連付けられたデータが更新される。
【００３４】
引続き図５を参照すると、白タグ要求が受け入れられた場合（ブロック５５５の“Ｙｅｓ”のパス）、ブロック５６０において、サーバは、白タグ要求が既に作成されているか否かを決定する。創作物についての白タグが存在しない場合（ブロック５６０の“Ｎｏ”のパス）、ブロック５６５において、受け取られたデータに基づいて白タグが作成される。創作物についての白タグが存在する場合（ブロック５６０の“Ｙｅｓ”のパス）、ブロック５７０において、白タグに関連付けられたデータが更新される。要求が承認されていない場合（ブロック５１５、５３５及び５５５の“Ｎｏ”のパス）は、ブロック５７５において、当該要求は拒否される。
【００３５】
いくつかの実施形態が添付する図において示されてきたが、様々な他の修正が当業者には可能であるので、このような実施形態は、本発明を単に例示するものであって、限定するものではなく、本発明は、示された特定の構成及び配置に限定されないことは当然である。ここで言及された商標権及び著作権は、各所有者に属する財産である。
【符号の説明】
【００３６】
１０５  青タグ
１１５  紫タグ
１２５  白タグ
２０５、２２５、２４０  創作物
２１０  情報プレート
２１５、２３０、２５０  タグ
２２０  印刷広告
２３５  ウエブページ
２４５  ページデータ
３０５  ユーザ機器
３１０  データ通信ネットワーク
３１５  サーバ
３２０  データベース
【図１Ａ】
0005864251.tif 000002
【図１Ｂ】
0005864251.tif 000003
【図１Ｃ】
0005864251.tif 000004
【図２Ａ】
0005864251.tif 000005
【図２Ｂ】
0005864251.tif 000006
【図２Ｃ】
0005864251.tif 000007
【図３】
0005864251.tif 000008
【図４Ａ】
0005864251.tif 000009
【図４Ｂ】
0005864251.tif 000010
【図５】
0005864251.tif 000011